(57)【要約】      （修正有）【課題】良好な支持性と移動性を有し、使用時の機動性を向上させる可動式人荷積載用装置を提供する。【解決手段】可動式人荷積載用装置１０は台座、複数のキャスター６０および複数の脚部７０を備える。複数のキャスターは台座の底面に突出するように台座に装着される。複数の脚部はボルトにより台座に装着され、ボルトの回転により台座に対して上下変位する。脚部を降下させて脚部の底面の位置とキャスターの底辺の位置を揃えるか、脚部の底面の位置をキャスターの底辺の位置より低くすれば、台座は複数の脚部によって地面に動かず安定することができる。脚部を上昇させて脚部の底面の位置をキャスターの底辺の位置より高くすれば、台座は複数のキャスターによって自由に走行することができる。【選択図】図３
0003228746.tif 000002
【実用新案登録請求の範囲】
【請求項１】
台座、複数のキャスターおよび複数の脚部を備え、
複数の前記キャスターは、前記台座の底面に突出するように前記台座に装着され、
複数の前記脚部は、前記台座の前記底面に装着され、前記台座に対して第一位置および第二位置の間に上下変位することができ、
複数の前記脚部が前記第一位置に据えられる際、複数の前記脚部の底面の位置は複数の前記キャスターの底辺の位置を超えなく、複数の前記脚部が前記第二位置に据えられる際、複数の前記脚部の前記底面の位置は複数の前記キャスターの前記底辺の位置より高いことを特徴とする可動式人荷積載用装置。
【請求項２】
前記台座は、支持フレームおよび天板を有し、前記支持フレームは複数のねじ孔を有し、前記天板は前記支持フレームの頂面に装着され、複数の天板穴を有し、
複数の前記脚部はそれぞれ脚キャップおよびボルトを有し、前記ボルトは前記支持フレームの前記ねじ孔に締め付けられるため、前記台座に対して複数の前記脚部を前記第一位置および前記第二位置の間に上下変位させることができ、
前記ボルトは先端部が前記天板の前記天板穴に差し込まれ、末端部が前記脚キャップに連結され、
複数の前記脚部が前記第一位置に据えられる際、複数の前記ボルトの前記先端部はそれぞれ前記天板穴に隠れ、複数の前記脚キャップの前記底面の位置はそれぞれ前記キャスターの前記底辺の位置を超えなく、複数の前記脚部が前記第二位置に据えられる際、複数の前記ボルトの前記先端部はそれぞれ前記天板穴に露出し、複数の前記脚キャップの前記底面の位置はそれぞれ前記キャスターの前記底辺の位置より高いことを特徴とする請求項１に記載の可動式人荷積載用装置。
【請求項３】
前記台座はさらに底板を有し、前記底板は前記支持フレームの底面に装着され、複数の底板穴および複数の格納溝を有し、
複数の前記脚部の前記ボルトはそれぞれ前記底板穴を貫通し、
複数の前記キャスターはそれぞれ一部分が前記格納溝に格納されることを特徴とする請求項２に記載の可動式人荷積載用装置。
【請求項４】
前記支持フレームは筐体、複数のリブ、複数のキャスターホルダーおよび複数の脚支え部を有し、複数の前記リブはそれぞれ前記筐体の内周面に連結され、複数の前記キャスターホルダーはそれぞれ前記筐体の前記内周面と一つの前記リブとの間に連結および固定され、複数の前記脚支え部はそれぞれねじ孔を有し、
複数の前記キャスターはそれぞれ前記キャスターホルダーに装着されることを特徴とする請求項２に記載の可動式人荷積載用装置。
【請求項５】
複数の前記キャスターホルダーは二つの相対する側部面を有し、それぞれの前記側部面は軸孔を有し、
複数の前記キャスターはそれぞれ回転可能に車軸に装着され、それぞれの前記車軸は両端が前記キャスターホルダーの前記側部面の前記軸孔を別々に貫通し、かつ嵌合溝および前記嵌合溝内に位置する嵌合リングを別々に有することを特徴とする請求項４に記載の可動式人荷積載用装置。
【請求項６】
前記キャスターは複数の穿孔を有し、複数の前記穿孔はそれぞれ前記キャスターの二つの相対する端面を貫通し、かつ前記キャスターの中心に対して間隔を置いて環状に配列されることを特徴とする請求項１に記載の可動式人荷積載用装置。
【請求項７】
前記台座は、複数の前記キャスターによって直線方向のみに沿って走行することを特徴とする請求項１に記載の可動式人荷積載用装置。
【考案の詳細な説明】
【技術分野】
【０００１】
本考案は人荷積載用装置、特に可動式人荷積載用装置に関するものである。
【背景技術】
【０００２】
社会経済の発展に伴って日常生活からのストレスや職場で求められる責任感に耐えなければならない人々にとってリラックスできる娯楽や余暇活動が必要である。例えばカラオケで歌って楽しもうと思うとき、多くの人はカラオケボックスを選択する。従来のカラオケボックスは人数、時間および場所などの制限があるため、すべての消費者を満足させることができない。従来のカラオケボックスに対して外観が公衆電話ボックスのようなミニカラオケボックスは使用料が安いだけでなく、人数や時間などの制限がないため、多くの消費者に受け入れられる。
【０００３】
上述したミニカラオケボックスは商圏、デパートまたは映画館エリアなどに設置され、一定の期間ごとに建築物の屋内改造を行えば設置場所が調整されることが一般的である。ミニカラオケボックスは直接地面に設置され、重量が一定である。設置場所を調整してミニカラオケボックスを動かす際、機具に頼らなければならない。つまり、ミニカラオケボックスは機動性が比較的乏しい。
【考案の概要】
【考案が解決しようとする課題】
【０００４】
本考案は良好な支持性および移動性によって使用の際の機動性を向上させる可動式人荷積載用装置を提供することを主な目的とする。
【課題を解決するための手段】
【０００５】
上述した課題を解決するため、可動式人荷積載用装置は台座、複数のキャスターおよび複数の脚部を備える。複数のキャスターは台座の底面に突出するように台座に装着される。複数の脚部は台座に装着され、かつ台座に対して第一位置および第二位置の間に上下変位できる。複数の脚部が第一位置に据えられる際、複数の脚部の底面の位置は複数のキャスターの底辺の位置を超えない。複数の脚部が第二位置に据えられる際、複数の脚部の底面の位置は複数のキャスターの底辺の位置より高い。
【０００６】
上述した構造特徴により、本考案による可動式人荷積載用装置は実際のニーズに応じて使い方を切り替えることができる。詳しく言えば、複数の脚部を第一位置に据えれば、複数の脚部によって台座を自由に移動させず、地面に安定させることができる。複数の脚部を第二位置に据えれば、複数のキャスターによって台座を自由に走行させ、搬送作業の便をはかることができる。
【０００７】
比較的好ましい場合、台座は支持フレームおよび天板を有する。支持フレームは複数のねじ孔を有する。天板は支持フレームの頂面に装着され、複数の天板穴を有する。複数の脚部はそれぞれ脚キャップおよびボルトを有する。複数の脚部のボルトはそれぞれ支持フレームのねじ孔に締め付けられるため、台座に対して複数の脚部を第一位置および第二位置の間に上下変位させることができる。ボルトは先端部が天板の天板穴に差し込まれ、末端部が脚キャップに連結される。複数の脚部が第一位置に据えられる際、複数のボルトの先端部はそれぞれ天板穴に隠れる。複数の脚キャップの底面の位置はそれぞれキャスターの底辺の位置を超えない。複数の脚部が第二位置に据えられる際、複数のボルトの先端部はそれぞれ天板穴に露出する。複数の脚キャップの底面の位置はそれぞれキャスターの底辺の位置より高い。
【０００８】
比較的好ましい場合、台座はさらに底板を有する。底板は支持フレームの底面に装着され、複数の底板穴および複数の格納溝を有する。複数の脚部のボルトはそれぞれ底板穴を貫通する。複数のキャスターはそれぞれ底板の格納溝に格納される。
【０００９】
比較的好ましい場合、支持フレームは筐体、複数のリブ、複数のキャスターホルダーおよび複数の脚支え部を有する。複数のリブは筐体の内周面に連結される。複数のキャスターホルダーは筐体の内周面と一つのリブとの間に連結および固定される。複数のキャスターはそれぞれキャスターホルダーに装着される。複数の脚支え部はそれぞれねじ孔を有する。
【００１０】
比較的好ましい場合、それぞれのキャスターホルダーは二つの相対する側部面を有する。それぞれの側部面は軸孔を有する。それぞれのキャスターは回転可能に車軸に装着される。それぞれの車軸は両端がキャスターホルダーの側部面の軸孔を別々に貫通し、かつ両端に嵌合溝および嵌合溝内に位置する嵌合リングを別々に有する。嵌合リングによって車軸がキャスターから逸脱することを抑制し、キャスターの装着作業を完成させる。
【００１１】
比較的好ましい場合、それぞれのキャスターは複数の穿孔を有する。複数の穿孔はそれぞれキャスターの二つの相対する端面を貫通し、かつキャスターの中心に対して間隔を置いて環状に配列される。
【００１２】
比較的好ましい場合、台座は直線方向のみに沿って移動する。
【００１３】
本考案による可動式人荷積載用装置の詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１４】
【図１】本考案の一実施形態による可動式人荷積載用装置の使用状態を示す斜視図である。
【図２】本考案の一実施形態による可動式人荷積載用装置を示す斜視図である。
【図３】本考案の一実施形態による可動式人荷積載用装置を下から見た斜視図である。
【図４】本考案の一実施形態による可動式人荷積載用装置の台座を示す分解斜視図である。
【図５】図２の拡大図の一部分である。
【図６】図５の分解斜視図である。
【図７】図３の拡大図の一部分である。
【図８】図７の分解斜視図である。
【図９】本考案の一実施形態による可動式人荷積載用装置において脚部が第一位置に据えられた状態を示す断面図である。
【図１０】本考案の一実施形態による可動式人荷積載用装置において脚部が第二位置に据えられた状態を示す断面図である。
【考案を実施するための形態】
【００１５】
以下、本考案による可動式人荷積載用装置を図面に基づいて説明する。なお、明細書において、方向性用語は図面に示した方向に基づいて表現される。図中の同じ符号は同じ部品または類似した部品のまたはその構造特徴を示す。
【００１６】
（一実施形態）
図１に示すように、本考案の一実施形態による可動式人荷積載用装置１０は一人または少人数を収容できるボックス１２、例えばミニカラオケボックス（mini karaoke booths）に適用し、使用者およびオーディオ・ビジュアル関連機器を積載することが役割である。図２から図４に示すように、可動式人荷積載用装置１０は台座２０、複数のキャスター６０および複数の脚部７０を備える。本実施形態において、キャスター６０および脚部７０の数は四つである。
【００１７】
図４および図６、図８に示すように、台座２０は支持フレーム３０を有する。支持フレーム３０は一体成型であり、筐体３１、一つの第一リブ３４、四つの第二リブ３５、四つのキャスターホルダー３６および四つの脚支え部３７を有する。筐体３１は四辺形を呈し、二つの相対する第一フレーム３２および二つの相対する第二フレーム３３を有する。第一リブ３４は両端が二つの第一フレーム３２の内周面に別々に連結される。それぞれの第二リブ３５は両端が二つの第二フレーム３３の内周面に別々に連結される。それぞれの第二リブ３５は第一リブ３４に垂直に連結され、かつ第一リブ３４に沿って一定の間隔を置いて配列される。図８に示すように、四つのキャスターホルダー３６は筐体３１の四つの隅角に位置付けられ、それぞれ二つの側部面３６２および二つの側部面３６２の間に位置する頂部面３６６を有する。二つの側部面３６２はそれぞれ軸孔３６４を有し、外周面が第一フレーム３２および第一フレーム３２に最も近い第二リブ３５に別々に連結される。四つの脚支え部３７は筐体３１の四つの隅角に位置付けられ、それぞれ頂面および底面を貫通するねじ孔３７２を有する。四つの脚支え部３７はそれぞれ第一フレーム３２および第一フレーム３２に最も近い第二リブ３５の間に連結される。
【００１８】
台座２０はさらに四辺形の天板４０および四辺形の底板５０を有する。天板４０は支持フレーム３０の上方に位置付けされ、支持フレーム３０の頂面に装着される。底板５０は支持フレーム３０の下方に位置付けされ、締付方式によって支持フレーム３０の底面に装着される。天板４０は四つの隅角に天板穴４２を別々に有する。底板５０は四つの隅角に底板穴５２および格納溝５４を別々に有する。
【００１９】
図７および図８に示すように、それぞれのキャスター６０は支持フレーム３０のキャスターホルダー３６の二つの側部面３６２の間に位置付けられ、センター穴６１を有する。それぞれのキャスター６０はセンター穴６１によって車軸６４に装着される。車軸６４は両端がキャスターホルダー３６の側部面３６２の軸孔３６４を別々に貫通し、かつ両端に嵌合溝６５を別々に有する。車軸６４の二つの嵌合溝６５に二つの嵌合リング６６を装着すれば車軸６４の逸脱を防止し、キャスター６０の装着作業を完成させる。このときキャスター６０は台座２０の底面に露出し、一部分が底板５０の格納溝５４に格納される。図８に示すように、それぞれのキャスター６０はキャスター６０の二つの相対する端面を貫通する複数の細長い穿孔６２を有する。複数の穿孔６２はキャスター６０のセンター穴６１に対して間隔を置いて環状に配列されてキャスター６０に緩衝効果を生じる。
【００２０】
図７および図８に示すように、それぞれの脚部７０はボルト７２および脚キャップ７４を有する。脚キャップ７４はボルト７２の末端部に連結される。それぞれの脚部７０のボルト７２は底板５０の下方から底板穴５２に差し込まれ、支持フレーム３０の脚支え部３７のねじ孔３７２に締め付けられる。このときボルト７２の先端部は図６および図５に示すように上方の天板４０の天板穴４２に入り込む。
【００２１】
上述した構造特徴により、使用者がドライバーなどの工具で天板穴４２からボルト７２を回せばそれぞれの脚部７０は台座２０に対して上下に作動することができる。図９に示すように、それぞれの７０脚部が第一位置Ｐ１に据えられる際、それぞれのボルト７２の先端部は天板穴４２に隠れる。それぞれの脚キャップ７４の底面７６はキャスター６０の底辺６３と並ぶように位置するが、これに限らない。詳しく言えば、脚キャップ７４の底面７６の位置がキャスター６０の底辺６３の位置を超えないか、それより低ければよい。このとき台座２０は四つの脚キャップ７４の底面７６によって地面Ｇの上に支えられて安定するため、自由に移動することができない。図１０に示すように、それぞれの脚部７０が第二位置Ｐ２まで上昇する際、それぞれのボルト７２の先端部は天板穴４２に露出する。それぞれの脚キャップ７４の底面７６の位置はキャスター６０の底辺６３の位置より高いため、キャスター６０しか地面Ｇに着地できない。このとき台座２０は四つのキャスター６０によって直線方向に移動できる。言い換えれば、本考案による可動式人荷積載用装置１０は実際のニーズに応じて二つの使い方を切り替えることができる。詳しく言えば、可動式人荷積載用装置１０を動かす際、図１０に示すように四つの脚部７０を第二位置Ｐ２に据えれば、可動式人荷積載用装置１０を自由に走行させて搬送作業の便をはかることができる。続いて、可動式人荷積載用装置１０が定着した後、図９に示すように四つの脚部７０を第一位置Ｐ１に据えれば、可動式人荷積載用装置１０は動かず地面Ｇに安定することができる。つまり、可動式人荷積載用装置１０は使用上の自由度および機動性が高い。
【符号の説明】
【００２２】
１０：可動式人荷積載用装置、  
１２：ボックス、  
２０：台座、  
３０：支持フレーム、  
３１：筐体、  
３２：第一フレーム、  
３３：第二フレーム、  
３４：第一リブ、  
３５：第二リブ、  
３６：キャスターホルダー、  
３６２：側部面、  
３６４：軸孔、  
３６６：頂部面、  
３７：脚支え部、  
３７２：ねじ孔、  
４０：天板、  
４２：天板穴、  
５０：底板、  
５２：底板穴、  
５４：格納溝、  
６０：キャスター、  
６１：センター穴、  
６２：穿孔、  
６３：底辺、  
６４：車軸、  
６５：嵌合溝、  
６６：嵌合リング、  
７０：脚部、  
７２：ボルト、  
７４：脚キャップ、  
７６：底面、  
Ｐ１：第一位置、  
Ｐ２：第二位置  
Ｇ：地面
【図１】
0003228746.tif 000003
【図２】
0003228746.tif 000004
【図３】
0003228746.tif 000005
【図４】
0003228746.tif 000006
【図５】
0003228746.tif 000007
【図６】
0003228746.tif 000008
【図７】
0003228746.tif 000009
【図８】
0003228746.tif 000010
【図９】
0003228746.tif 000011
【図１０】
0003228746.tif 000012